(57)【要約】【課題】検出された対象者の情報のデータを検出部からサーバーまでセキュリティを確保して送信するために検出部に設ける必要のあるリソースを抑制できるとともに、暗号化通信によるオーバーヘッドを削減して通信コストを低減できる見守りシステムを提供する。【解決手段】対象者から情報を検出し、検出した前記情報を含む検出データを出力する検出部１０と、出力された検出データを、セキュアな第１ネットワークを介して受信し、受信した検出データを暗号化して、第１ネットワーク以外の第２ネットワークを介して他の第２サーバー６０へ送信する第１サーバー５０と、を有する。
2020066321.tif 000002
【特許請求の範囲】
【請求項１】
対象者から情報を検出し、検出した前記情報を含む検出データを出力する検出部と、
前記検出部により出力された前記検出データを、セキュアな第１ネットワークを介して受信し、受信した前記検出データを暗号化して、前記第１ネットワーク以外の第２ネットワークを介して他の第２サーバーへ送信する第１サーバーと、
を有する見守りシステム。
【請求項２】
前記第１サーバーから前記検出データを受信する前記第２サーバーをさらに有する、請求項１に記載の見守りシステム。
【請求項３】
前記第２ネットワークは、ノンセキュアなネットワークである、請求項１または２に記載の見守りシステム。
【請求項４】
前記第１サーバーは、前記検出部から受信した前記検出データに含まれる前記情報を解析し、解析結果に基づいて前記検出データの優先順位を判断し、優先順位の高い順に、前記検出データを前記第２サーバーへ送信する、請求項１〜３のいずれか一項に記載の見守りシステム。
【請求項５】
前記検出部は複数であり、
前記第１サーバーには、前記検出部ごとに優先度を紐づけたデータベースが予め記憶されており、
前記第１サーバーは、前記データベースに基づいて、前記優先度が高い前記検出部から受信した前記検出データほど優先順位が高いと判断し、優先順位の高い順に、前記検出データを前記第２サーバーへ送信する、請求項１〜３のいずれか一項に記載の見守りシステム。
【請求項６】
前記第１サーバーは、前記検出部から受信した前記検出データを解析し、解析結果に基づいて、前記第２サーバーへ送信する前記情報を判断し、前記第２サーバーへ送信すると判断した前記情報のみを、前記検出データとして前記第２サーバーへ送信する、請求項１〜３のいずれか一項に記載の見守りシステム。
【請求項７】
前記検出データは、前記情報として、イベント情報、撮影画像、およびバイタルデータの少なくともいずれかを含む、請求項１〜６のいずれか一項に記載の見守りシステム。
【請求項８】
対象者から情報を検出し、検出した前記情報を含む検出データを出力する検出部と、前記検出部とセキュアな第１ネットワークを介して接続された第１サーバーと、前記第１サーバーと、前記第１ネットワーク以外の第２ネットワークを介して接続された他の第２サーバーと、を有する見守りシステムの、前記第１サーバーに実行させるための制御プログラムであって、
前記検出部から出力された前記検出データを、前記第１ネットワークを介して受信する手順（ａ）と、
手順（ａ）において受信した前記検出データを暗号化して、前記第２ネットワークを介して前記第２サーバーへ送信する手順（ｂ）と、
を有する処理を前記第１サーバーに実行させるための見守りプログラム。
【請求項９】
前記第２ネットワークは、ノンセキュアなネットワークである、請求項８に記載の見守りプログラム。
【請求項１０】
前記手順（ｂ）は、前記手順（ａ）において受信した前記検出データを解析し、解析結果に基づいて前記検出データの優先順位を判断し、優先順位の高い順に、前記検出データを前記第２サーバーへ送信する、請求項８または９に記載の見守りプログラム。
【請求項１１】
前記見守りシステムの前記検出部は複数であり、
前記第１サーバーには、前記検出部ごとに優先度を紐づけたデータベースが予め記憶されており、
前記手順（ｂ）は、前記データベースに基づいて、前記優先度が高い前記検出部から受信した前記検出データほど優先順位が高いと判断し、優先順位の高い順に、前記検出データを前記第２サーバーへ送信する、請求項８または９に記載の見守りプログラム。
【請求項１２】
前記手順（ｂ）は、前記手順（ａ）において受信した前記検出データを解析し、解析結果に基づいて、前記第２サーバーへ送信する前記情報を判断し、前記第２サーバーへ送信すると判断した前記情報のみを、前記検出データとして前記第２サーバーへ送信する、請求項８または９に記載の見守りプログラム。
【請求項１３】
前記検出データは、前記情報として、イベント情報、撮影画像、およびバイタルデータの少なくともいずれかを含む、請求項８〜１２のいずれか一項に記載の見守りプログラム。
【請求項１４】
対象者から情報を検出し、検出した前記情報を含む検出データを出力する検出部と、前記検出部とセキュアな第１ネットワークを介して接続された第１サーバーと、前記第１サーバーと、前記第１ネットワーク以外の第２ネットワークを介して接続された他の第２サーバーと、を有する見守りシステムの、前記第１サーバーにより行う方法であって、
前記検出部から出力された前記検出データを、前記第１ネットワークを介して受信する段階（ａ）と、
前記段階（ａ）において受信した前記検出データを暗号化して、前記第２ネットワークを介して前記第２サーバーへ送信する段階（ｂ）と、
を有する見守り方法。
【請求項１５】
前記第２ネットワークは、ノンセキュアなネットワークである、請求項１４に記載の見守り方法。
【請求項１６】
前記段階（ｂ）は、前記段階（ａ）において受信した前記検出データを解析し、解析結果に基づいて前記検出データの優先順位を判断し、優先順位の高い順に、前記検出データを前記第２サーバーへ送信する、請求項１４または１５に記載の見守り方法。
【請求項１７】
前記見守りシステムの前記検出部は複数であり、
前記第１サーバーには、前記検出部ごとに優先度を紐づけたデータベースが予め記憶されており、
前記段階（ｂ）は、前記データベースに基づいて、前記優先度が高い前記検出部から受信した前記検出データほど優先順位が高いと判断し、優先順位の高い順に、前記検出データを前記第２サーバーへ送信する、請求項１４または１５に記載の見守り方法。
【請求項１８】
前記段階（ｂ）は、前記段階（ａ）において受信した前記検出データを解析し、解析結果に基づいて、前記第２サーバーへ送信する前記情報を判断し、前記第２サーバーへ送信すると判断した前記情報のみを、前記検出データとして前記第２サーバーへ送信する、請求項１４または１５に記載の見守り方法。
【請求項１９】
前記検出データは、前記情報として、イベント情報、撮影画像、およびバイタルデータの少なくともいずれかを含む、請求項１４〜１８のいずれか一項に記載の見守り方法。
【発明の詳細な説明】
【技術分野】
【０００１】
本発明は、見守りシステム、見守りプログラム、および見守り方法に関する。
【背景技術】
【０００２】
我が国は、戦後の高度経済成長に伴う生活水準の向上、衛生環境の改善、および医療水準の向上等により、長寿命化が顕著になっている。このため、出生率の低下と相まって、高齢化率が高い高齢化社会になっている。このような高齢化社会では、病気、怪我、および加齢などにより、介護や支援等のケアを必要とする対象者の増加が想定される。【０００３】
対象者は、自宅、または、病院や老人福祉施設等の施設において、歩行中に転倒したり、ベッドから転落して怪我をするおそれがある。そのため、対象者がこのような状態になったときに介護士や看護師等がすぐに駆けつけられるようにするために、対象者の状態を検知するためのシステムの開発が進められている。【０００４】
このようなシステムに関連し、下記特許文献１には、次の技術が開示されている。対象者が携帯する端末から、対象者の識別情報を含む信号を発信させ、当該信号を施設内の複数個所にそれぞれ配置された送受信端末装置で受信するとともに、当該信号に基づく所定の情報を各送受信端末装置からクラウドネットワーク上のサーバーへ送信する。そして、サーバーにより当該所定の情報に基づいて対象者が施設外へ出ようとしていると判定された場合、対象者が施設外へ出ようとしている旨の情報を、施設内の管理端末装置へ送信してその旨表示する。また、サーバーにより対象者が施設外へ出てしまったと判定された場合は、対象者が施設外へ出てしまった旨の情報を、施設内の管理端末装置だけでなく警察署に設けられた管理端末装置へも送信してその旨表示する。これにより、痴呆症状を有する対象者等の監視および保護をより確実に行える。
【先行技術文献】
【特許文献】
【０００５】
【特許文献１】特開２０１６−４８４１２号公報
【発明の概要】
【発明が解決しようとする課題】
【０００６】
しかし、上記先行技術は、送受信端末装置からクラウドネットワーク上のサーバーへ所定の信号をセキュリティを確保して送信するためには、送受信端末装置に暗号化通信を行うためのリソースが必要になるという問題がある。また、暗号化通信を行うためのオーバーヘッドが大きくなり、通信コストが増大するという問題がある。【０００７】
本発明は、このような問題を解決するためになされたものである。すなわち、検出された対象者の情報のデータを検出部から送信先のサーバーまでセキュリティを確保して送信するために検出部に設ける必要のあるリソースを削減できるとともに、暗号化通信によるオーバーヘッドを削減して通信コストを低減できる見守りシステム、見守りプログラム、および見守り方法を提供することを目的とする。
【課題を解決するための手段】
【０００８】
本発明の上記課題は、以下の手段によって解決される。【０００９】
（１）対象者から情報を検出し、検出した前記情報を含む検出データを出力する検出部と、前記検出部により出力された前記検出データを、セキュアな第１ネットワークを介して受信し、受信した前記検出データを暗号化して、前記第１ネットワーク以外の第２ネットワークを介して他の第２サーバーへ送信する第１サーバーと、を有する見守りシステム。【００１０】
（２）前記第１サーバーから前記検出データを受信する前記第２サーバーをさらに有する、上記（１）に記載の見守りシステム。【００１１】
（３）前記第２ネットワークは、ノンセキュアなネットワークである、上記（１）または（２）に記載の見守りシステム。【００１２】
（４）前記第１サーバーは、前記検出部から受信した前記検出データに含まれる前記情報を解析し、解析結果に基づいて前記検出データの優先順位を判断し、優先順位の高い順に、前記検出データを前記第２サーバーへ送信する、上記（１）〜（３）のいずれかに記載の見守りシステム。【００１３】
（５）前記検出部は複数であり、前記第１サーバーには、前記検出部ごとに優先度を紐づけたデータベースが予め記憶されており、前記第１サーバーは、前記データベースに基づいて、前記優先度が高い前記検出部から受信した前記検出データほど優先順位が高いと判断し、優先順位の高い順に、前記検出データを前記第２サーバーへ送信する、上記（１）〜（３）のいずれかに記載の見守りシステム。【００１４】
（６）前記第１サーバーは、前記検出部から受信した前記検出データを解析し、解析結果に基づいて、前記第２サーバーへ送信する前記情報を判断し、前記第２サーバーへ送信すると判断した前記情報のみを、前記検出データとして前記第２サーバーへ送信する、上記（１）〜（３）のいずれかに記載の見守りシステム。【００１５】
（７）前記検出データは、前記情報として、イベント情報、撮影画像、およびバイタルデータの少なくともいずれかを含む、上記（１）〜（６）のいずれかに記載の見守りシステム。【００１６】
（８）対象者から情報を検出し、検出した前記情報を含む検出データを出力する検出部と、前記検出部とセキュアな第１ネットワークを介して接続された第１サーバーと、前記第１サーバーと、前記第１ネットワーク以外の第２ネットワークを介して接続された他の第２サーバーと、を有する見守りシステムの、前記第１サーバーに実行させるための制御プログラムであって、前記検出部から出力された前記検出データを、前記第１ネットワークを介して受信する手順（ａ）と、手順（ａ）において受信した前記検出データを暗号化して、前記第２ネットワークを介して前記第２サーバーへ送信する手順（ｂ）と、を有する処理を前記第１サーバーに実行させるための見守りプログラム。【００１７】
（９）前記第２ネットワークは、ノンセキュアなネットワークである、上記（８）に記載の見守りプログラム。【００１８】
（１０）前記手順（ｂ）は、前記手順（ａ）において受信した前記検出データを解析し、解析結果に基づいて前記検出データの優先順位を判断し、優先順位の高い順に、前記検出データを前記第２サーバーへ送信する、上記（８）または（９）に記載の見守りプログラム。【００１９】
（１１）前記見守りシステムの前記検出部は複数であり、前記第１サーバーには、前記検出部ごとに優先度を紐づけたデータベースが予め記憶されており、前記手順（ｂ）は、前記データベースに基づいて、前記優先度が高い前記検出部から受信した前記検出データほど優先順位が高いと判断し、優先順位の高い順に、前記検出データを前記第２サーバーへ送信する、上記（８）または（９）に記載の見守りプログラム。【００２０】
（１２）前記手順（ｂ）は、前記手順（ａ）において受信した前記検出データを解析し、解析結果に基づいて、前記第２サーバーへ送信する前記情報を判断し、前記第２サーバーへ送信すると判断した前記情報のみを、前記検出データとして前記第２サーバーへ送信する、上記（８）または（９）に記載の見守りプログラム。【００２１】
（１３）前記検出データは、前記情報として、イベント情報、撮影画像、およびバイタルデータの少なくともいずれかを含む、（８）〜（１２）のいずれかに記載の見守りプログラム。【００２２】
（１４）対象者から情報を検出し、検出した前記情報を含む検出データを出力する検出部と、前記検出部とセキュアな第１ネットワークを介して接続された第１サーバーと、前記第１サーバーと、前記第１ネットワーク以外の第２ネットワークを介して接続された他の第２サーバーと、を有する見守りシステムの、前記第１サーバーにより行う方法であって、前記検出部から出力された前記検出データを、前記第１ネットワークを介して受信する段階（ａ）と、前記段階（ａ）において受信した前記検出データを暗号化して、前記第２ネットワークを介して前記第２サーバーへ送信する段階（ｂ）と、を有する見守り方法。【００２３】
（１５）前記第２ネットワークは、ノンセキュアなネットワークである、上記（１４）に記載の見守り方法。【００２４】
（１６）前記段階（ｂ）は、前記段階（ａ）において受信した前記検出データを解析し、解析結果に基づいて前記検出データの優先順位を判断し、優先順位の高い順に、前記検出データを前記第２サーバーへ送信する、上記（１４）または（１５）に記載の見守り方法。【００２５】
（１７）前記見守りシステムの前記検出部は複数であり、前記第１サーバーには、前記検出部ごとに優先度を紐づけたデータベースが予め記憶されており、前記段階（ｂ）は、前記データベースに基づいて、前記優先度が高い前記検出部から受信した前記検出データほど優先順位が高いと判断し、優先順位の高い順に、前記検出データを前記第２サーバーへ送信する、上記（１４）または（１５）に記載の見守り方法。【００２６】
（１８）前記段階（ｂ）は、前記段階（ａ）において受信した前記検出データを解析し、解析結果に基づいて、前記第２サーバーへ送信する前記情報を判断し、前記第２サーバーへ送信すると判断した前記情報のみを、前記検出データとして前記第２サーバーへ送信する、上記（１４）または（１５）に記載の見守り方法。【００２７】
（１９）前記検出データは、前記情報として、イベント情報、撮影画像、およびバイタルデータの少なくともいずれかを含む、上記（１４）〜（１８）のいずれかに記載の見守り方法。
【発明の効果】
【００２８】
検出部により検出された対象者の情報のデータを、セキュアな第１ネットワークを介して検出部から第１サーバーへ送信し、第１サーバーで暗号化した前記データを第１サーバーから他の第２ネットワークを介して第２サーバーへ送信する。これにより、第１サーバーを介して、対象者の情報のデータを送信先のサーバーへ送信することで、当該データを検出部から送信先のサーバーまでセキュリティを確保して送信するために検出部に設けるリソースを削減できる。さらに、暗号化通信によるオーバーヘッドが抑制されるため通信コストを低減できる。
【図面の簡単な説明】
【００２９】
【図１】見守りシステムの全体構成を示す図である。
【図２】対象者の部屋のベッド周辺に設置された検出部の例を示す図である。
【図３】検出部の概略構成を示すブロック図である。
【図４】フォグサーバーの概略構成を示すブロック図である。
【図５】クラウドサーバーの概略構成を示すブロック図である。
【図６】第１実施形態に係る見守りシステムの動作を示すフローチャートである。
【図７】第２実施形態に係る見守りシステムの動作を示すフローチャートである。
【図８】第３実施形態に係る見守りシステムの動作を示すフローチャートである。
【発明を実施するための形態】
【００３０】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００３１】
（第１実施形態）
［全体構成］
図１は本実施形態に係る見守りシステムの全体構成を示す図であり、図２は対象者の部屋のベッド周辺に設置された検出部の例を示す図である。
【００３２】
図１に示すように、見守りシステム１は、複数の検出部１０、ルーター２０、３０、４０、フォグサーバー５０、クラウドサーバー６０、固定端末７０、および携帯端末８０を備える。フォグサーバー５０は、クラウドサーバー６０よりもデバイス（すなわち、検出部１０）に近い位置に配置されたデータ処理装置であり、「第１サーバー」を構成する。検出部１０とルーター２０は、それぞれ、独立したケーブル等を用いた専用ＬＡＮ（Ｌｏｃａｌ  Ａｒｅａ  Ｎｅｔｗｏｒｋ）９１、または共有されるケーブル等を用いて仮想的に閉じたネットワークを構築するＶＰＮ（Ｖｅｒｔｕａｌ  Ｐｒｉｖａｔｅ  Ｎｅｔｗｏｒｋ）で互いに通信可能に接続されている。ＶＰＮとしては、例えば、ＩＰＳｅｃ  ＶＰＮ、またはＳＳＬ−ＶＰＮを利用し得る。ルーター２０、３０、およびフォグサーバー５０は、ＶＰＮ９２により互いに通信可能に接続されている。ルーター２０、３０、およびフォグサーバー５０は、専用ＬＡＮにより互いに通信可能に接続されてもよい。ルーター２０は、ＶＰＮ９２に接続されたアクセスポイント（図示せず）とルーター２０が３Ｇ、４Ｇ、またはＬＴＥ（Ｌｏｎｇ  Ｔｅｒｍ  Ｅｖｏｌｕｔｉｏｎ）、ＬＴＥ−Ａｄｖａｎｃｅｄといった通信規格により接続されることで、アクセスポイントを介して、ＶＰＮ９２と接続され得る。専用ＬＡＮ９１およびＶＰＮ９２は、セキュアなネットワークである第１ネットワーク９０を構成する。ルーター３０、４０、およびクラウドサーバー６０は、インターネット１００を介して互いに通信可能に接続されている。クラウドサーバー６０は、インターネット１００上に配置された複数のサーバーによって仮想的に構築されたサーバーである。インターネット１００は、ノンセキュアなネットワークであり、第２ネットワークを構成する。固定端末７０および携帯端末８０は、ルーター４０を介してインターネット１００と接続されている。
【００３３】
図１においてグレーの太線の矢印で示すように、検出部１０により検出され出力された、対象者２の情報を含むデータ（以下、「検出データ」と称する）は、ルーター２０を経由して、セキュアな第１ネットワーク９０を介してフォグサーバー５０へ送信されて記憶される。検出部１０から出力された検出データは、セキュアな第１ネットワーク９０を介してフォグサーバー５０へ送信される。従って、検出部１０から送信先のフォグサーバー５０までセキュリティを確保して送信するために検出部１０に設ける必要のあるリソースを削減できる。なお、第１ネットワーク９０がＶＰＮにより構成される場合、ＶＰＮのプロトコルに従って検出データを暗号化するためのリソースを検出部１０に設ける必要はある。しかし、ＶＰＮ等を利用せずにノンセキュアのネットワークを利用し、セキュリティを確保するために検出データを暗号化する場合と比較して、検出部１０に設ける必要のあるリソースを削減できる。これにより、検出部１０にセキュリティを確保するために設ける必要のあるリソースを削減しつつ、盗聴、漏洩、および改ざん等の脅威から検出データが保護される。なお、図１においては、一つの検出部１０から出力された検出データのみをグレーの太線の矢印で示しているが、他の検出部１０から出力された検出データも同様に、ルーター２０を経由して、セキュアな第１ネットワーク９０を介してフォグサーバー５０へ送信されて記憶される。
【００３４】
フォグサーバー５０は、受信した検出データを暗号化し、図１においてグレーの破線の矢印で示すように、ルーター３０を経由して、暗号化した検出データをインターネット１００を介してクラウドサーバー６０へ送信し記憶させる。これにより、ノンセキュアなインターネット１００を介してフォグサーバー５０からクラウドサーバー６０まで検出データが送信されても、検出データが暗号化されているため、盗聴、漏洩、および改ざん等の脅威から検出データが保護される。なお、クラウドサーバー６０は、暗号化された検出データを復号して記憶する。クラウドサーバー６０は、暗号化された検出データを、暗号化されたまま記憶してもよい。クラウドサーバー６０は、検出データの送信先のサーバーであり、「第２サーバー」を構成する。
【００３５】
見守りシステム１は、検出部１０により情報が取得される対象者２に応じて適宜な場所に配設される。対象者２は、例えば、病気や怪我等によって看護を必要とする患者、高齢による身体能力の低下等によって介護を必要とする被介護者、または一人暮らしの独居者等である。特に、早期発見および早期対処を可能にする観点から、対象者２は、例えば異常状態等の所定の不都合な事象がその者に生じた場合に、その発見を必要としている者であり得る。このため、見守りシステム１の検出部１０およびルーター２０は、対象者２の種類に応じて、住戸、病院、および老人福祉施設等に好適に配設される。以下、説明を簡単にするために、検出部１０およびルーター２０は、対象者２の各自宅に配設するものとして説明する。検出部１０は、図２に示すように、対象者２の観察領域である対象者２の自宅の対象者２の部屋に配置され得る。
【００３６】
図１に示す例では、検出部１０およびルーター２０が、対象者２であるＡさん、Ｂさん、．．．、Ｘさんの自宅の部屋にそれぞれ配置されている。検出部１０の観察領域にはベッド３が含まれている。
【００３７】
固定端末７０は、例えば、医師等により使用され、クラウドサーバー６０により医師等がユーザー認証されることで、クラウドサーバー６０に記憶された検出データを、医師等に開示可能な範囲で、対象者２を特定する情報とともに表示し得る。後述するように、検出データには、対象者２を特定する情報が付加されている。検出データは、クラウドサーバー６０から固定端末７０へＶＰＮを介して、または暗号化通信により送信され得る。
【００３８】
携帯端末８０は、例えば、対象者２に対して介護または看護等の対応を行うスタッフに携帯され、クラウドサーバー６０によりスタッフがユーザー認証されることで、クラウドサーバー６０に記憶された検出データを、スタッフに開示可能な範囲で、対象者２を特定する情報とともに表示し得る。検出データは、クラウドサーバー６０から携帯端末８０へＶＰＮを介して、または暗号化通信により送信され得る。
【００３９】
［検出部１０］
図３は検出部の概略構成を示すブロック図である。同図に示すように、検出部１０は、制御部１１、通信部１２、カメラ１３、および体動センサー１４を備え、これらはバスによって、相互に接続されている。
【００４０】
制御部１１は、ＣＰＵ（Ｃｅｎｔｒａｌ  Ｐｒｏｃｅｓｓｉｎｇ  Ｕｎｉｔ）、およびＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等のメモリにより構成され、プログラムに従って検出部１０の各部の制御および演算処理を行う。ＲＯＭとしては、例えば、ＳＤカードが用いられ得る。制御部１１は、メモリとして、さらにＨＤＤ（Ｈａｒｄ  Ｄｉｓｋ  Ｄｒｉｖｅ）を備えてもよい。
【００４１】
通信部１２は、専用ＬＡＮ９１およびルーター２０を介して、フォグサーバー５０等の他の装置と通信するためのインターフェース回路（例えばＬＡＮカード等）である。
【００４２】
カメラ１３は、例えば対象者２の部屋の天井、または壁の上部に配置され、観察領域として対象者２のベッド３を含む領域を撮影し、撮影画像（画像データ）を出力する。撮影画像には対象者２を含む画像が含まれる。撮影画像には、静止画および動画が含まれる。カメラ１３は近赤外線カメラであるが、これに換えて可視光カメラを用いてもよく、これらを併用してもよい。
【００４３】
制御部１１は、カメラ１３が撮影した撮影画像から、対象者２の行動を認識する。この認識する行動には、ベッド３から起き上がる「起床」、ベッド３から離れる「離床」、および床面等に転倒する「転倒」等の各種イベントが含まれる。撮影画像、および各種イベントの情報は、検出データに含まれる。本実施形態においては、検出部１０が検出した対象者２の状態の変化であって、起床、離床、転倒、微体動異常等の対象者２に対応するスタッフ等に知らせるべき事象をイベントと称する。
【００４４】
制御部１１は、複数の撮影画像（動画像）から画像のシルエット（以下、「人シルエット」と称する）を検出する。人シルエットは、例えば、撮影時刻が前後する画像を差分する時間差分により差分が相対的に大きい画素の範囲を抽出する時間差分法で検出され得る。人シルエットは、撮影画像から背景画像を差分する背景差分法により検出されてもよい。起床、離床、転倒の認識は、検出した人シルエットからケア対象者２の姿勢（例えば立位、座位および横臥等）、およびベッド３等の居室内の設置物との相対的な位置から起床、離床および転倒（転落）の別を認識する。これらの認識は、制御部１１のＣＰＵが処理するプログラムにより行ってもよく、組み込み型の処理回路により行うようにしてもよい。また、これに限られずフォグサーバー５０によりこれらの認識の全部またはほとんどの処理を行うようにし、制御部１１ではフォグサーバー５０への撮影画像の送信のみを行うようにしてもよい。制御部１１は、いずれかのイベント（行動）を認識した場合、そのイベントが検出されたことを示すイベント情報を検出データとしてフォグサーバー５０へ送信する。また、制御部１１は、カメラ１３により撮影された撮影画像を、検出データとしてフォグサーバー５０へ送信する。
【００４５】
ここで、対象者２の対応を行うスタッフの業務が、対象者２に対する介護業務である場合に、各イベントに関する対応内容について説明する。イベントとして「起床」を判定し、その判定が所定時間内（施設で設定された起床時間（例えば午前７〜８時））であれば、モーニングケアを行う。このモーニングケアには、洗顔、歯磨き介助、義歯装着、着替え介助等が含まれる。また、「離床」のイベントであれば、車椅子移乗、歩行介助が必要となる場合がある。また、検出部１０が判定したイベント以外の定期的（定時）なイベントとして、飲料、および食事介助、排泄介助、車椅子移乗、歩行介助、体位変換（褥瘡予防）がある。これらの定期的イベントは、ケアコール部（図示せず）等により、定時になるとアラートを発生させるようにしてもよい。
【００４６】
体動センサー１４は、ベッド３の方向に対しマイクロ波を送受信してケア対象者２の体動（例えば呼吸動）によって生じたマイクロ波のドップラシフトを検出する。この体動センサー１４により、対象者２の呼吸動作に伴う胸部の体動（胸部の上下動）を検出する。対象者２の体動はバイタルデータを構成する。対象者２の体動の信号（以下、「体動信号」と称する）は、バイタルデータとして検出データに含まれる。対象者２の胸部の体動における周期の乱れや予め設定された閾値以下である当該胸部の体動における振幅を検知すると、微体動異常であると認識される。
【００４７】
なお、検出部１０には、ケアコール部がさらに含まれ得る。ケアコール部は、押しボタン式のスイッチを含み、スイッチが対象者２によって押されることでケアコール（ナースコール）を検出する。押しボタン式のスイッチに換えて、音声マイクによりケアコールを検出してもよい。ケアコールはイベントに含まれる。ケアコール部のスイッチが押された場合、すなわち、ケアコールを検出した場合、制御部１１は、通信部１２を介して、ケアコールが検出されたことを示す検出データをフォグサーバー５０へ送信する。
【００４８】
［フォグサーバー５０］
図４は、フォグサーバーの概略構成を示すブロック図である。フォグサーバー５０は、制御部５１、通信部５２、および記憶部５３を備える。これらの構成要素は、バスによって、相互に通信可能に接続されている。これらの構成要素の基本構成は、検出部１０の対応する構成要素と同様であるため、重複する説明は省略する。
【００４９】
記憶部５３は、検出部１０から通信部５２により受信された検出データを記憶する。記憶部５３は、所定期間を超えて記憶した検出データについては消去することで、新たに受信する検出データの記憶領域を確保し得る。所定期間は、例えば、３０日〜３年の任意の期間とし得る。
【００５０】
制御部５１は、検出データを暗号化し、暗号化された検出データを、通信部５２により、クラウドサーバー６０へ送信する。暗号化方式としては、例えば、ＡＥＳ（Ａｄｖａｎｃｅｄ  Ｅｎｃｒｙｐｔｉｏｎ  Ｓｔａｎｄａｒｄ）、トリプルＤＥＳ（Ｄａｔａ  Ｅｎｃｒｙｐｔｉｏｎ  Ｓｔａｎｄａｒｄ）を用い得る。
【００５１】
制御部５１は、検出データを解析（パース）して、対象者２の情報を認識する。制御部は、対象者２の情報を、例えば、撮影画像、イベント情報、およびバイタルデータのいずれかとして認識し得る。制御部５１は、検出データの解析結果に基づいて、検出データの優先順位を判断し、優先順位の高い順に検出データをクラウドサーバー６０へ送信する。例えば、制御部５１は、転倒または転落のイベントの情報を他の検出データよりも高い優先順位として判断し得る。また、制御部５１は、例えば、バイタルデータを他の検出データよりも高い優先順位として判断し得る。
【００５２】
［クラウドサーバー６０］
図５は、クラウドサーバーの概略構成を示すブロック図である。クラウドサーバー６０は、制御部６１、通信部６２、および記憶部６３を備える。これらの構成要素は、バスによって、相互に通信可能に接続されている。これらの構成要素の基本構成は、検出部１０の対応する構成要素と同様であるため、重複する説明は省略する。
【００５３】
記憶部６３は、フォグサーバー５０から通信部６２により受信された検出データを記憶する。記憶部６３は、予め記憶された、対象者２の氏名および生年月日等の個人情報、ならびに介護記録等と紐づけて、検出データを記憶し得る。
【００５４】
制御部６１は、フォグサーバー５０から受信された暗号化された検出データを復号化し、復号化した検出データを記憶部６３に記憶させる。なお、制御部６１は、暗号化された検出データを暗号化されたまま記憶部６３に記憶させてもよい。
【００５５】
制御部６１は、固定端末７０および携帯端末８０へ、通信部６２により検出データを送信する。制御部６１は、ユーザー認証された固定端末７０および携帯端末８０へ、それぞれ、ユーザーである医師およびスタッフに開示可能な範囲で検出データを送信し得る。なお、制御部６１は、固定端末７０および携帯端末８０でそれぞれ検出データを可視化されるための加工を検出データに対して行い、加工後の検出データを固定端末７０および携帯端末８０でそれぞれ送信してもよい。
【００５６】
制御部６１は、例えば暗号化通信により、インターネット１００を介して、検出データを固定端末７０および携帯端末８０へそれぞれ送信し得る。
【００５７】
見守りシステムの動作について説明する。
【００５８】
図６は、見守りシステムの動作を示すフローチャートである。本フローチャートは、フォグサーバー５０の制御部５１により、記憶部５３に記憶されたプログラムに従って実行され得る。
【００５９】
制御部５１は、検出部１０が送信した検出データを受信することで取得する（Ｓ１０１）。検出部１０からは、撮影画像および体動信号が常時送信され得る。イベント情報は、イベントが発生したときに検出部１０から送信される。検出データには、送信元の検出部１０を特定可能な、ＩＰアドレスやＭＡＣアドレス等の識別情報が含まれている。これにより、制御部５１は、イベント信号を送信した検出部１０を特定できる。また、記憶部６３に、検出部１０の識別情報、検出部１０の番号、および検出部１０が自宅等に設置された対象者２の識別情報（氏名等を含む）等が相互に紐付けられたテーブルを記憶されることで、検出部１０の識別情報から、対象者２を特定できる。制御部５１は、対象者２を特定し、対象者２を特定する情報を、検出データに付加する。
【００６０】
制御部５１は、検出データを解析する（Ｓ１０２）。制御部５１は、検出データの解析において、当該検出データが、撮影画像、イベント情報、および体動信号（バイタルデータ）のいずれかであることを認識する。制御部５１は、検出データのヘッダーまたはプロトコルに基づいて、撮影画像、イベント情報、および体動信号の別を認識し得る。制御部５１は、検出データのパケットに付与されるヘッダーに含まれるデータの種類の識別情報に基づいて撮影画像、イベント情報、および体動信号の別を認識してもよい。さらに、制御部５１は、検出データがイベント情報の場合、イベント情報に含まれるイベントの種類を認識する。
【００６１】
制御部５１は、解析結果に基づいて、検出データの、クラウドサーバー６０へ送信する優先順位を判断する（Ｓ１０３）。
【００６２】
制御部５１は、優先順位が高い順に、検出データを暗号化して、インターネット１００を介してクラウドサーバー６０へ送信し、クラウドサーバー６０に記憶させる（Ｓ１０４）。
【００６３】
（第２実施形態）
本発明の第２実施形態について説明する。本実施形態が第１実施形態と異なる点は次の点である。第１実施形態は、検出データを解析し、解析結果に基づいてクラウドサーバー６０へ送信する検出データの優先順位を判断する。一方、本実施形態は、複数の検出部１０を、検出部１０ごとに優先度を紐づけたデータベースに基づいて、優先度が高い検出部１０から受信した検出データほど優先順位が高いと判断する点である。それ以外の点は、第１実施形態と同様であるため、重複する説明は、省略または簡略化する。
【００６４】
図４に示す、フォグサーバー５０の制御部５１は、検出部１０ごとに優先度を紐づけたデータベースを記憶部５３に予め記憶させておく。制御部５１は、データベースに基づいて優先度が高い検出部１０から受信した検出データほど優先順位が高いと判断する。データベースにおいては、例えば、要介護度の高い対象者２の部屋に設置された検出部１０ほど優先度が高く設定され得る。
【００６５】
図７は、見守りシステムの動作を示すフローチャートである。本フローチャートは、フォグサーバー５０の制御部５１により、記憶部５３に記憶されたプログラムに従って実行され得る。
【００６６】
制御部５１は、検出部１０から検出データを受信することで取得する（Ｓ２０１）。
【００６７】
制御部５１は、記憶部５３に予め記憶された、検出部１０ごとに優先度を紐づけたデータベースを記憶部５３から読み出す。制御部５１は、検出データに含まれる識別情報に基づいて検出部１０を特定し、データベースに基づいて、検出データの送信元の検出部１０の優先度を判断する（Ｓ２０２）。
【００６８】
制御部５１は、優先度が高いと判断した検出部１０から受信した検出データほど、クラウドサーバー６０へ送信する優先順位が高いと判断する（Ｓ２０３）。
【００６９】
制御部５１は、優先順位の高い順に、検出データを暗号化して、インターネット１００を介してクラウドサーバー６０へ送信し、クラウドサーバー６０に記憶させる（Ｓ２０４）。
【００７０】
（第３実施形態）
本発明の第３実施形態について説明する。本実施形態が第１実施形態と異なる点は次の点である。第１実施形態は、検出データを解析し、解析結果に基づいてクラウドサーバー６０へ送信する検出データの優先順位を判断する。一方、本実施形態は、解析結果に基づいて、検出データに含まれる対象者２の情報のうちクラウドサーバー６０へ送信する情報を判断し、送信すると判断した情報のみを検出データとしてクラウドサーバー６０へ送信する点である。それ以外の点は、第１実施形態と同様であるため、重複する説明は、省略または簡略化する。
【００７１】
図４に示す、フォグサーバー５０の制御部５１は、検出データを解析し、解析結果に基づいて、検出データに含まれる対象者２の情報のうちクラウドサーバー６０へ送信する情報を判断する。制御部５１は、クラウドサーバー６０へ送信すると判断した情報のみを検出データとしてクラウドサーバー６０へ送信する。制御部５１は、例えば、バイタルデータに関して、過去所定期間のバイタルデータを対象者２ごとに記憶部５３に記憶しておく。そして、新たに受信された検出データに含まれるバオタルデータが、当該過去所定期間のバイタルデータの平均値からの変動が所定の閾値を超えたときのみ、当該閾値を超えて変動したバイタルデータのみをクラウドサーバー６０へ送信し得る。所定期間は、例えば、１０日以内の任意の期間とし得る。所定の閾値は、例えば３σ（σは標準偏差）とし得る。これにより、比較的大きく変動したバイタルデータのみをクラウドサーバー６０へ送信することで、医師等が対象者２の状態を判断する上で特に重要と考えられるデータのみがクラウドサーバー６０に保存される。
【００７２】
図８は、見守りシステムの動作を示すフローチャートである。本フローチャートは、フォグサーバー５０の制御部５１により、記憶部５３に記憶されたプログラムに従って実行され得る。
【００７３】
制御部５１は、検出部１０から検出データを受信することで取得する（Ｓ３０１）。
【００７４】
制御部５１は、検出データを解析する（Ｓ３０２）。制御部５１は、検出データの解析において、当該検出データが、撮影画像、イベント情報、および体動信号（バイタルデータ）のいずれかであることを認識する。さらに、検出データの解析において、制御部５１は、検出データに含まれる、対象者２の情報の内容を認識する。具体的には、例えば、検出データが体動信号の場合、体動信号を時間ごとの数値として認識する。
【００７５】
制御部５１は、解析結果に基づいて、検出データに含まれる、対象者２の情報がクラウドサーバーへ送信する情報かどうか判断する（Ｓ３０３）。具体的には、例えば、検出データが体動信号を含む場合、記憶部５３に記憶された、過去所定期間の体動信号を読み出し、平均値および３σを算出する。そして、検出データに含まれる体動信号が、平均値から３σを超えて変動していない場合、当該体動信号をクラウドサーバー６０へ送信しない情報と判断する。一方、検出データに含まれる体動信号が、３σを超えて変動している部分がある場合、当該部分の体動信号をクラウドサーバー６０へ送信する情報と判断する。なお、このように、３σを超えて変動している部分がある場合は、制御部５１は、当該部分の前後を含む部分の体動信号をクラウドサーバー６０へ送信する情報と判断し得る。また、３σを超えて変動している部分が複数ある場合は、制御部５１は、当該複数の部分を全て含む、時間的に連続する体動信号の部分を、クラウドサーバー６０へ送信する情報と判断してもよい。
【００７６】
制御部５１は、クラウドサーバー６０へ送信する情報と判断した、検出データに含まれる、対象者２から検出された情報のみを、検出データとして、暗号化してクラウドサーバーへ送信し、クラウドサーバー６０に記憶させる（Ｓ３０４）。
【００７７】
本実施形態は以下の効果を奏する。
【００７８】
検出部により検出された対象者の情報を含む検出データを、セキュアな第１ネットワークを介して検出部からフォグサーバーへ送信し、フォグサーバーで暗号化したデータをフォグサーバーから第１ネットワーク以外の第２ネットワークを介して他のサーバーへ送信する。これにより、フォグサーバーを介して、対象者の情報のデータを送信先のサーバーへ送信することで、当該データを検出部から送信先のサーバーまでセキュリティを確保して送信するために検出部に設けるリソースを削減できる。また、暗号化通信によるオーバーヘッドが抑制されるため通信コストを低減できる。さらに、検出部との間の通信が、ユーザーにより管理が容易なフォグサーバーとの間でのみ行うことができるため、フォグサーバーから検出器（デバイス）に対してのメンテナンス性（新たなポリシーの適用等）を向上できる。
【００７９】
さらに、第２ネットワークを、外部の装置（固定端末７０、携帯端末８０、等）から幅広くアクセス可能とするため、ノンセキュアなネットワークとする。これにより、第２ネットワークをセキュアなネットワークとするために必要となるコストを低減できる。
【００８０】
さらに、フォグサーバーにより、検出部から受信した検出データに含まれる情報を解析し、解析結果に基づいて検出データの優先順位を判断し、優先順位の高い順に、検出データをクラウドサーバーへ送信する。これにより、即時に医師等が認識すべき即時性の高い情報を他の情報に優先してクラウドサーバーへ送信することで、当該即時性の高い情報を短時間で医師等に通知できる。
【００８１】
さらに、フォグサーバーにおいて、検出部ごとに優先度を紐づけたデータベースを予め記憶させる。そして、データベースに基づいて、優先度が高い検出部から受信した検出データほど優先順位が高いと判断し、優先順位の高い順に、検出データをフォグサーバーからクラウドサーバーへ送信する。これにより、要介護度の高い対象者等の、状況の急変が比較的起きやすい対象者の部屋に設置した検出部の優先度を上げることが容易にでき、当該対象者への速やかな対応を可能にできる。
【００８２】
さらに、フォグサーバーにおいて、検出部から受信した検出データに含まれる情報を解析し、解析結果に基づいて、クラウドサーバーへ送信する当該情報を判断し、クラウドサーバーへ送信すると判断した情報のみを、検出データとしてクラウドサーバーへ送信する。これにより、比較的大きく変動したバイタルデータや、緊急性の高いイベント情報等のみをクラウドサーバーへ送信し記憶させることで、医師等が対象者の状態を速やかに判断でき、また、対応の必要性のない検出データが比較的多く通知されることによるスタッフ等への監視負担を低減できる。
【００８３】
以上に説明した見守りシステム、見守りプログラム、および見守り方法の構成は、上述の実施形態の特徴を説明するにあたって主要構成を説明したのであって、上述の構成に限られず、特許請求の範囲内において、種々改変することができる。また、一般的な見守りシステムが備える構成を排除するものではない。
【００８４】
例えば、上述した実施形態に係る見守りシステムにおいては、フォグサーバーからノンセキュアなインターネットを介してクラウドサーバーへ検出データを送信している。しかし、フォグサーバーからＶＰＮ等のセキュアなネットワークを介してクラウドサーバーへ検出データを送信してもよい。
【００８５】
また、上述した実施形態においては、検出データとして、イベント情報、撮影画像、およびバイタルデータを例示したが、検出データとして送信されるデータには、これらの２つ以上が含まれてもよい。例えば、「転倒」や「転落」のイベント情報が検出データとして送信される場合は、「転倒」等と判断される基礎となった撮影画像とともに当該検出データが検出データとして送信され得る。
【００８６】
また、上述した実施形態に係る見守りシステムにおける処理は、上記のフローチャートのステップ以外のステップを含んでもよく、あるいは、上述したステップのうちの一部を含まなくてもよい。また、ステップの順序は、上述した実施形態に限定されない。さらに、各ステップは、他のステップと組み合わされて一つのステップとして実行されてもよく、他のステップに含まれて実行されてもよく、複数のステップに分割されて実行されてもよい。
【００８７】
また、上述した実施形態に係る見守りシステム１における各種処理を行う手段および方法は、専用のハードウエア回路、またはプログラムされたコンピューターのいずれによっても実現することが可能である。上記プログラムは、例えば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、一機能としてその検出部等の装置のソフトウエアに組み込まれてもよい。
【００８８】
本出願は、２０１８年９月２７日に出願された日本特許出願（特願２０１８−１８２４６８号）に基づいており、その開示内容は、参照され、全体として、組み入れられている。
【図１】
2020066321.tif 000003
【図２】
2020066321.tif 000004
【図３】
2020066321.tif 000005
【図４】
2020066321.tif 000006
【図５】
2020066321.tif 000007
【図６】
2020066321.tif 000008
【図７】
2020066321.tif 000009
【図８】
2020066321.tif 000010
【国際調査報告】
2020066321.tif 000011
2020066321.tif 000012
2020066321.tif 000013
2020066321.tif 000014